(57)【要約】  テーププリント装置が提供される。該テーププリント装置は、外部装置に接続するためのポートと、少なくとも１つのラベルを定義するラベルデータを記憶するための第１のメモリと、プログラム情報を含む第２のメモリとを含む。
2010523366.tif 000002
【特許請求の範囲】
【請求項１】
テーププリント装置であって、
外部装置に接続するためのポートと、
少なくとも１つのラベルを定義するラベルデータを記憶するための第１のメモリと、
プログラム情報を含む第２のメモリと、
を有し、
前記ポートが、第１のメモリに記憶されたデータの修正部分を受け、第１のメモリが、受けた修正部分を記憶するように構成されるテーププリント装置。
【請求項２】
第１のメモリ及び第２のメモリの少なくとも一方がフラッシュメモリである請求項１のテーププリント装置。
【請求項３】
ポートがＵＳＢポートを含む請求項１又は２のテーププリント装置。
【請求項４】
テーププリント装置が、ポートで受けたデータをプリントする第１のモードと、ポートで受けたデータを第１のメモリで保存する第２のモードとを有する請求項１〜３の何れかのテーププリント装置。
【請求項５】
ポートが第１及び第２の仮想ポートを含み、第１の仮想ポートに受けられたデータがプリントされ、第２の仮想ポートに受けられたデータが第１のメモリに記憶される請求項４のテーププリント装置。
【請求項６】
テーププリント装置が、第１のメモリのコンテンツをポートに出力する構成とされる請求項１〜５の何れかのテーププリント装置。
【請求項７】
テーププリント装置が、データの転送開始位置のみのコマンド情報と共に第１のメモリのコンテンツを出力する構成とされる請求項６のテーププリント装置。
【請求項８】
テーププリント装置が、第１のメモリのコンテンツをチェック情報と共に出力する構成とされる請求項６又は７のテーププリント装置。
【請求項９】
チェック情報がデータの最後の位置に提供される請求項８のテーププリント装置。
【請求項１０】
データを記憶したメモリを有するテーププリント装置と、
ＰＣと、
該ＰＣとテーププリント装置との間の接続部と、
を含み、
前記ＰＣが、テーププリント装置から前記データを受け、受けたデータを修正し、修正したデータをテーププリント装置に送り、修正されたデータが前記メモリに記憶されるシステム。
【請求項１１】
修正されたデータのみがテーププリント装置に送られる請求項１０のシステム。
【請求項１２】
テーププリント装置及びＰＣの少なくとも一方がデータの始点位置のみのコマンド情報とともにデータを出力するように構成される請求項１０又は１１の何れかのシステム。
【請求項１３】
テーププリント装置及びＰＣの少なくとも一方がチェック情報を出力するように構成される請求項１０〜１２の何れかのシステム。
【請求項１４】
チェック情報がデータの後に提供される請求項１３のシステム。
【請求項１５】
ＰＣが、テーププリント装置に読み取りコマンドを送るように構成され、
テーププリント装置が、読み取りコマンドを正しく受けたことのアクノリッジメントをＰＣに送るように構成され、
テーププリント装置が、要求量のデータをＰＣに送るように構成され、
ＰＣが、チェックサムコマンドをテーププリント装置に送るように構成され、
テーププリント装置が、チェックサムコマンドを正しく受けたことのアクノリッジメントをＰＣに送るように構成され、
ＰＣが、チェックサムを計算し、該チェックサムをＰＣに送る用に構成される請求項１０〜１４の何れかのシステム。
【請求項１６】
テーププリント装置から、該テーププリント装置のメモリに記憶されたデータを受けること、
該データを修正すること、
前記メモリに記憶させるべき修正したデータをテーププリント装置に送ること、
を含む方法。
【請求項１７】
データが、ラベルデータ、記号データ、文字列データの少なくとも１つを含む請求項１６の方法。
【請求項１８】
データを修正することが、追加のデータを提供すること、少なくとも１つのデータを削除すること、少なくとも１つのデータを修正すること、の少なくとも１つを含む請求項１６又は１７の方法。
【請求項１９】
データの修正によるデータの変化部分のみに関する情報を送ることを含む請求項１６〜１８の何れかの方法。
【請求項２０】
受けたデータを定義する情報を表示させることを含む請求項１６〜１９の何れかの方法。
【請求項２１】
受けた情報を定義する情報を第１エリヤに表示させ、データを受けるように構成したＰＣ内に記憶されたデータを定義する情報を第２エリヤに表示させること、を含む請求項２０の方法。
【請求項２２】
第１エリヤ及び第２エリヤ間で情報を移動させ、移動された情報に従いデータを修正する請求項２１の方法。
【請求項２３】
データの支点位置のみにおけるコマンド情報と共にデータを出力することを含む請求項１６〜２２の何れかの方法。
【請求項２４】
チェック情報を出力することを含む請求項１６〜２３の何れかの方法。
【請求項２５】
チェック情報がデータの後に提供される請求項２４の方法。
【請求項２６】
読み取りコマンドを送ること、
読み取りコマンドを正しく受けたことのアクノリッジメントを送ること、
要求量のデータを送ること、
チェックサムコマンドを送ること、
チェックサムコマンドを正しく受けたことのアクノリッジメントを送ること、
チェックサムを計算し、チェックサムをＰＣに送ること、
を含む請求項１６〜２５の何れかの方法。
【請求項２７】
ＰＣ上で入手可能な属性を用いてＰＣ上でラベルをデザインする運転上の第１のモードと、
テーププリント装置上で入手可能な属性のみを用いて前記ＰＣ上でラベルをデザインする運転上の第２のモードと、
を含む方法。
【請求項２８】
運転上の第１のモードを使用してラベルをデザインすること、
デザインしたラベルをテーププリント装置に送り、ラベルをプリントすること、を含む請求項２７の方法。
【請求項２９】
運転上の第２のモードを使用してラベルをデザインすること、
デザインしたラベルをテーププリント装置のメモリにダウンロードすること、を含む請求項２７又は２８の方法。
【請求項３０】
運転上の第１のモードを使用する場合の第１の値と、運転上の第２のモードが使用される場合の第２の値と、を有するインジケータを提供することを含む請求項２７、２８、２９の何れかの方法。
【請求項３１】
属性が、文字属性、ラベル属性、の少なくとも一方を含む請求項２７〜３０の何れかの方法。
【請求項３２】
ラベルが所定の基準を満たすか否かを判定し、満たす場合はラベルをテンプレートに提供するプロセッサを含む装置。
【請求項３３】
所定の基準が、
所定のオブジェクトが存在すること、ビットマップがあること、画像があること、所定の１つ以上の位置にオブジェクト又は画像があること、ラベル作製に使用する手順、オプションの選択、所定タイプのラベルの作製、の少なくとも１つを含む請求項３２の装置。
【請求項３４】
プロセッサが、ラベルにテンプレートを提供するために定義する幾つかの情報を削除する構成とされる請求項３２又は３３の装置。
【請求項３５】
幾つかの情報が、画像情報、ラベルタイプ情報、の少なくとも一方を含む請求項３４の装置。
【請求項３６】
ラベルが更にラベルとして記憶される請求項３２〜３５の何れかの装置。
【請求項３７】
テンプレートの作製法であって、
ラベルが所定の基準を満たすか否かを判定し、満たす場合はラベルにテンプレートを提供するべくラベルを修正すること、
を含む方法。
【請求項３８】
テーププリント装置であって、
外部装置に接続するためのポートと、
メモリと、
を含み、
テーププリント装置が、ポート位置で受けたデータをプリントする運転上の第１のモードと、ポート位置で受けたデータをメモリに記憶させる運転上の第２のモードと、を有するテーププリント装置。
【請求項３９】
ポートが第１及び第２の仮想ポートを含み、プリントされるデータが第１の仮想ポートで受けられ、第２の仮想ポートで受けられたデータが第１のメモリに記憶される請求項３８のテーププリント装置。
【請求項４０】
テーププリント装置であって、
外部装置に接続するためのポートと、
少なくとも１つのラベルを定義するラベルデータを記憶するための第１のメモリと、
プログラム情報を含む第２のメモリと、
を含むテーププリント装置。
【請求項４１】
テーププリント装置であって、
外部装置に接続するためのポートと、
少なくとも１つのラベルを定義するラベルデータを記憶するための第１のメモリと、
プログラム情報を含む第２のメモリと、
を含み、
テーププリント装置が、第１のメモリのコンテンツをポートに出力する構成とされるテーププリント装置。
【請求項４２】
テーププリント装置であって、
外部装置に接続するためのポートと、
少なくとも１つのラベルを定義するラベルデータを記憶するためのメモリと、
を含み、
前記ポートが、メモリに記憶されたデータに対する修正を受けるように構成され、前記メモリが、修正されたデータを内部に記憶するように構成されるテーププリント装置。
【請求項４３】
外部装置に接続するためのポートと、少なくとも１つのラベルを定義するラベルデータを記憶するためのメモリと、を含むテーププリント装置において使用する方法であって、
前記ポート位置で、第１のメモリに記憶されたデータに対する修正部分を受けること、前記修正部分をメモリに記憶すること、を含む方法。
【請求項４４】
ＰＣ上で実行された場合に請求項１６〜３０、３７、又は４３に記載する任意の各ステップを実行するように構成されたプログラムコードを含むコンピュータープログラム。
【請求項４５】
ＰＣ上で実行された場合に請求項１６〜３０、３７、又は４３に記載する任意の各ステップを実行するように構成されたプログラムコードを含むコンピュータープログラム製品。
【発明の詳細な説明】
【技術分野】
【０００１】
本発明は本発明はテーププリント装置に関する。
【背景技術】
【０００２】
テーププリント装置（以下、ラベルプリント装置、ラベルプリンタ、プリンタ、プリント装置、等とも称する）は例えば、ブラザー工業株式会社のＥＰＡ３２２９１８号や、ＶａｒｉｔｒｏｎｉｃｓのＥＰＡ２６７８９０号に開示される如く既知のものである。既知のテーププリント装置には、カセット又はテープ保持ケース用のベイを受けるカセットが含まれる。ＥＰＡ２６７８９０号のものでは、テープ保持ケースがインクリボンと基材テープとを収納し、基材テープが裏当て層に接着材で固定した上方受像層を含む。ＥＰＡ３２２９１８号のものではテープ保持ケースは、インクリボンと、透明な受像テープと、両面接着テープとを収納し、両面接着テープは、接着材を塗布したその片面が印刷後の受像テープに固着され、接着剤を塗布した他面側から剥ぎ取れる裏当て層を有している。こうしたテーププリント装置では、転像媒体（インクリボン）及び受像テープ（基材）が同じカセット内に収納される。
【０００３】
例えばＥＰＡ５７８３７２号には、インクリボンと基材テープとを別のカセットに収納することが提案されている。
これら全ての事例では、受像テープをインクリボンと重ねた状態でプリントヘッド及びプラテンとよりなる印刷ゾーンに送り、これらプリントヘッド及びプラテンが協動してインクリボンの画像を受像テープに転写させる。画像転写には、ドライレタリング又はドライフィルムインプレッションを含む様々な方法があるが、現在最も一般的なのはプリントヘッドを加熱し、その熱でインクリボンのインクを受像テープに転写させる感熱印刷法である。
【０００４】
インクリボンを省略し、プリントヘッドを加熱して被印刷画像を受像テープに直接印刷する方法も知られている。この方法は直接感熱印刷法と称される。
テープ印刷装置をパソコン又はＰＣに接続することが知られている。この既知の構成ではユーザーはＰＣとのインタラクト下にラベルをデザインする。ユーザーはＰＣとインタラクトすることにより、ラベルプリンタによるラベル印刷をコントロールする。
ＰＣ上でのラベルデザイニングはラベルプリンタでのそれよりもずっと容易となることがある。それは、ＰＣに接続したディスプレイがラベルプリンタのディスプレイよりもずっと大型であるからである。更には、ＰＣに関連するキーボードやマウスの構成はユーザーにとってはラベルプリンタのもっと小型のキーボードよりも一般に使い易いものである。従って、ＰＣ上でラベルをデザインし、デザインしたラベルをメモリーカードにダウンロードし、このメモリーカードをラベルプリンタの好適なスロットに差し込むことが知られている。
然し乍ら、メモリーカードにラベルをダウンロードするためにはＰＣは好適なメモリーカードスロットを備える必要がある。しかも、メモリーカードは紛失や破壊され易い。
【先行技術文献】
【特許文献】
【０００５】
【特許文献１】ＥＰＡ３２２９１８号
【特許文献２】ＥＰＡ２６７８９０号
【特許文献３】ＥＰＡ５７８３７２号
【発明の概要】
【発明が解決しようとする課題】
【０００６】
上述した如き問題の１つ以上を解決し得るテーププリント装置及び方法を提供することである。
【課題を解決するための手段】
【０００７】
本発明の１様相によれば、テーププリント装置であって、外部装置に接続するためのポートと、少なくとも１つのラベルを定義するラベルデータを記憶するための第１メモリと、プログラム情報を含む第２メモリと、を含むテーププリント装置が提供される。
【０００８】
本発明の他の様相によれば、データを記憶するメモリを有するテーププリント装置を含むシステムであって、コンピューターと、該コンピューターとテーププリント装置との間の連結部とを含み、コンピューター（ＰＣ）がテーププリント装置から前記データを受け、受けたデータを修正し、修正したデータをテーププリント装置に送り、前記修正されたデータが前記メモリに記憶されるように構成されるシステムが提供される。
【０００９】
本発明の他の様相によれば、テーププリント装置が、該テーププリント装置のメモリに記憶したデータを受けること、受けたデータを修正すること、修正したデータをテーププリント装置に送り前記メモリに記憶させること、を含む方法が提供される。
【００１０】
本発明の他の様相によれば、ＰＣ上で、該ＰＣにおいて入手され得る属性を使用してラベルをデザインする作動上の第１のモードを提供すること、テーププリント装置においてのみ入手され得る属性を用いてＰＣ上でラベルをデザインする作動上の第２のモードを提供すること、を含む方法が提供される。
【００１１】
本発明の他の様相によれば、ラベルが所定基準を満たすか否かを決定し、満たす場合はテンプレートを提供するべくラベルを修正させるプロセッサを含む装置が提供される。
本発明の他の様相によれば、テーププリント装置であって、外部装置に接続するためのポートと、メモリとを含み、テーププリント装置が、前記ポート位置で受けたデータがプリントされる作動上の第１のモードと、前記ポート位置で受けたデータがメモリに記憶される作動上の第２のモードと、を含むテーププリント装置が提供される。
【００１２】
本発明の他の様相によれば、テーププリント装置であって、外部装置に接続するためのポートと、少なくとも１つのラベルを定義するラベルデータを記憶するための第１のメモリと、プログラム情報を含む第２のメモリとを有し、前記ポートが、第１のメモリに記憶されたデータの修正部分を受け、第１のメモリが、受けた修正部分を記憶するように構成されるテーププリント装置が提供される。
【００１３】
本発明の他の様相によれば、テーププリント装置であって、外部装置に接続するためのポートと、少なくとも１つのラベルを定義するラベルデータを記憶するための第１のメモリと、プログラム情報を含む第２のメモリと、を含み、テーププリント装置が、第１のメモリの記憶内容を前記ポートに出力するように構成されるテーププリント装置が提供される。
【００１４】
本発明の他の様相によれば、テーププリント装置であって、外部装置に接続するためのポートと、少なくとも１つのラベルを定義するラベルデータを記憶するためのメモリと、を含み、前記ポートが、メモリに記憶されたデータに対する修正部分を受けるように構成され、前記メモリが、前記修正部分を記憶するように構成されるテーププリント装置が提供される。
【００１５】
本発明の他の様相によれば、テーププリント装置であって、外部装置に接続するためのポートと、少なくとも１つのラベルを定義するラベルデータを記憶するための第１のメモリと、プログラム情報を含む第２のメモリと、を含み、前記ポートが、第１のメモリに記憶されたデータに対する修正部分を受けるように構成され、前記第１のメモリが前記修正部分を記憶するように構成されるテーププリント装置が提供される。
【００１６】
本発明の他の様相によれば、外部装置に接続するためのポートと、少なくとも１つのラベルを定義するラベルデータを記憶するためのメモリとを含むテーププリント装置において使用する方法であって、前記ポート位置で、第１のメモリに記憶されたデータに対する修正部分を受けること、受けた修正部分を前記メモリに記憶すること、を含む方法が提供される。
【発明の効果】
【００１７】
従来技術の問題の１つ以上を解決し得るテーププリント装置及び方法が提供される。
【図面の簡単な説明】
【００１８】
【図１】図１は、本発明のテーププリント装置の実施例の斜視図である。
【図２】図２は、本発明のテーププリント装置をコントロールするための制御回路図である。
【図３】図３は、図１のテーププリント装置のカセット受けベイ内のカセットを示す概念図である。
【図４】図４は、ＰＣに接続した状態で示す図１のテーププリント装置の概略図である。
【図５】図５は、プリンタモードを選択した場合のＰＣのディスプレイの表示画像である。
【図６】図６は、デバイスモードを選択した場合のＰＣのディスプレイの表示画像である。
【図７】図７は、ＰＣのディスプレイにおける選択メニュー表示である。
【図８】図８は、ＰＣのディスプレイにおける入手可能なラベルフォーマットオプション表示である。
【図９】図９は、エラーが発生した場合におけるＰＣのディスプレイの表示画像である。
【図１０】図１０は、画像をラベルに挿入する場合のＰＣのディスプレイの表示画像である。
【図１１】図１１は、画像を挿入する場所を例示するＰＣのディスプレイの表示画像である。
【図１２】図１２は、ＰＣからラベルプリンタにラベルを転送する場合のＰＣのディスプレイの表示画像である。
【図１３】図１３は、ＰＣからテーププリント装置に記号を転送する際のＰＣのディスプレイの表示画像である。
【図１４】図１４は、テンプレートの創出法の例示図である。
【発明を実施するための形態】
【００１９】
図１にはテーププリント装置２の斜視図が示される。テーププリント装置はディスプレイ４を有する。本発明の好ましい実施例ではディスプレイ４は液晶ディスプレイである。テーププリント装置はキーボード６を有し、キーボード６は複数（本実施例の場合４）のカーソルコントロールキー８を有し、文字選択用の複数のキー１０及び数選択用の複数のキー１２も備えられる。キーボード６は２セットの機能キー１４をも有する。配置するキーの数やこれらのキーにより提供される機能はプリンターの用途により変化され得る。例えば、ある実施例では数選択用の各キーを省略し、それらに代えて文字キーで数字キーにアクセスできる。各文字に対して１つのキーを割り当てないようにしても良く、あるいは、例えばシフトキーを使用して各機能にアクセスするようにもできる。
【００２０】
従って、ユーザーはキーボード６を介して文字を含む画像、数及び又は記号を入力できる。機能キーを使用してラベルの属性を選択できる。従って、機能キー１４を使用して異なる機能を開始させ得、テーププリント装置の動作モードをコントロールできる。
本発明の１実施例において、キーボードはタッチパッド、タッチスクリーン、又は任意のその他入力手段により代替させ得る。
【００２１】
図３を参照するに、カセット受けベイが点線で示される。カセット受けベイ３０はサーマルプリントヘッド３２と、回転自在プラテン３４とを含み、これら部材は協動してプリントゾーン３６を画定する。カセット受けベイにはテーププリント装置の後部側からアクセスする。
【００２２】
サーマルプリントヘッド３２は、印刷要素のカラムを含む。サーマルプリントヘッド３２は、テープの最大幅部分にプリントするに一般に十分な高さを有する。サーマルプリントヘッド３２の幅は印刷要素の１つの幅と等しい。各印刷要素は別個に活性化され得、且つ被印刷画像に従い活性化される。画像は、各文字の幅がテープに沿って伸延し、又は各文字の高さが、所謂垂直プリントモードにおいてテープの長さ方向に沿って伸延する状態下に印刷され得る。
【００２３】
プリントヘッドアーム３３がプリントヘッドホルダを保持し、プリントヘッド３２それ自体はピボットポイント３８を中心としてピボット廻動自在であり、かくしてカセットをカセット受けベイに関して出し入れ可能となる。カセット受けベイ３０に挿通したカセットが全体を番号４０で示される。カセット４０は受像テープ４４のサプライスプール４２を保持する。受像テープ４４は図示しないガイド機構によりカセット４０に通され、出口４６を介してカセット４０を出、プリントゾーン３６を通過し、カット部４８に達する。
【００２４】
カセット４０にはインクリボンサプライスプール５０と、インクテープ巻き取りスプール５２も収納される。インクリボン（以下、熱転写リボンとも称する）５４はインクリボンサプライスプール５０からガイドされてプリントゾーン３６を通過し、インクテープ巻き取りスプール５２に巻き取られる。かくして、受像テープ４４は、その受像層がインクリボン５４と接触する状態下にインクリボン５４と重なる状態でプリントゾーン３６を通過する。
【００２５】
カセット４４は、プリントヘッド３２を受ける凹所８０を有する。熱転写リボン５４をプリントゾーン３６を通してガイドするガイド部分をも設け得る（図示せず）。プリントヘッド３２は、プラテン３４と接触して熱転写リボン５４及び受像テープ４４をプリントヘッド３２とプラテン３４との間で重ねた状態で保持する動作位置と、プラテン３４から遠ざけられ、かくして熱転写リボン５４と受像テープ４４とを釈放する不作動位置との間を可動である。動作位置では、プラテン３４は、受像テープ４４をプリントヘッド３２を通して送るべく回転され、プリントヘッドは、インクリボン５４からのインクの熱転写により受像テープ４４上に画像をプリントするようにコントロールされる。
【００２６】
図２に略示するように、プラテンはモーター５８により駆動される。モーターは、回転すると印刷中は受像テープを連続的にプリントゾーン３６に通すように受像テープを駆動させる。ステップモータを使用してテープを段階的に駆動させることもできる。
プリントゾーン３６を出てカット部４８に向かうテープに画像を印刷する。カット部４８はカセット４０のプリントゾーン３６に近い壁の一部に位置付けられる。カセット４０の、カット部４８を配置した壁部分は番号６０で示される。カセットの壁部分６０には長孔６２が形成され、プリントゾーン３６を通過した受像テープ４４が、この長孔６２の各側部の対面部分で支持されるところのカット部４８に送られる。
【００２７】
カット用ブレード６６を含むカット機構６４が設けられる。受像テープ４４を切断したカット用ブレード６６は長孔６２に入り込む。
テーププリント装置コントロール用の基本回路が図２に示される。マイクロプロセッサチップ７０が、不揮発性メモリ７２と、マイクロプロセッサ７４と、ＲＡＭ７６として略示するランダムアクセスメモリＲＡＭ容量とを有する。マイクロプロセッサチップ７０は、キーボード６のようなデータ入力デバイスからのラベルデータ入力を受けるべく接続される。以下に、図４を参照して本発明のラベルプリント装置の１実施例を説明する。
【００２８】
マイクロプロセッサチップ７０は、ディスプレイドライバチップ７８を介してディスプレイ４にデータを出力し、ディスプレイに被印刷ラベル（又はその一部）及び又はその他の、例えばユーザーに対するメッセージを表示させる。あるいはディスプレイドライバはマイクロプロセッサチップの一部を構成し得る。更には、マイクロプロセッサチップ７０は、プリントヘッド３２にデータを出力し、受像テープ上にラベルデータを印刷させ、かくしてラベルを形成させる。最後に、マイクロプロセッサチップはプラテン３４を駆動させるモーター５８をもコントロールする。マイクロプロセッサチップは、ある長さのテープを切り離し得るようにカット機構６４をもコントロールし得る。本発明の他の実施例ではカット機構の少なくとも一部分が手動操作され得る。
【００２９】
図４を参照するに、ＰＣ２００が示され、テーププリント装置２に接続されている。ＰＣはディスプレイ２０２と、入力デバイス２０４とを有する。一般に、入力デバイス２０４はキーボード及び又はマウスを含むが、入力デバイスは任意の好適な形態のものとすることが出来る。例えば、ディスプレイはタッチセンサー型ディスプレイであり得、このタッチセンサーディスプレイを利用して入力を実施し得る。ＰＣ２００はマイクロプロセッサ２０６と、番号を２０８で略示したメモリとを有する。メモリは任意の好適なタイプのものとし得、例えば、ランダムアクセスメモリその他であり得る。あるいはまたは更には、マイクロプロセッサ２０６はメモリ容量を含み得る。
【００３０】
ＰＣ２００はＵＳＢ（ユニバーサルシリアルバス）ポート２１０を有する。同様に、テーププリント装置２もまたＵＳＢポート２１２を有する。ケーブル２１４を使用してＰＣ２００とテーププリント装置を各ＵＳＢポートを介して接続する。
その他任意の好適なメカニズムを使用してテーププリント装置をＰＣに接続できる。例えば、ブルートゥース接続のような無線接続を介して接続し得る。あるいは、ＰＣとテーププリント装置とを、ＵＳＢプロトコルとは異なるプロトコルに従い動作するワイヤ接続を介して接続し得る。
【００３１】
テーププリント装置２は、コントローラー７０と、第１のフラッシュメモリ７６ａ及び第２のフラッシュメモリ７６ｂとを含む。第１のフラッシュメモリ７６ａはラベル、テンプレート、文字列その他を記憶するように構成される。第２のフラッシュメモリ７６ｂはプログラミング及びフォントを記憶する。第１のフラッシュメモリ７６ａの記憶内容は以下に詳しく説明するようにしてＰＣ２００にダウンロードされる。第１及び第２の各フラッシュメモリは別個のメモリである。本実施例ではマイクロコントローラーはメモリ容量を有さないか、または限定量のみのメモリ容量を有し得る。あるいは、マイクロコントローラーは使用されないメモリを有し得又はフラッシュメモリに記憶されないデータ用のメモリを有し得る。
【００３２】
本発明の好ましい実施例ではフラッシュメモリが使用される。然し乍ら、本発明の他の実施例では第１及び又は第２の各メモリ用として、フラッシュメモリに代えてその他のタイプのメモリを使用し得る。
ＰＣ２００はＵＳＢポート２１０を介してテーププリント装置２からデータを受け取るように構成される。ＵＳＢ接続を介して受けたデータをマイクロプロセッサ２０６が翻訳する。同様に、プロセッサはＵＳＢポート２１０を介してテーププリント装置に送られるデータをＵＳＢプロトコルに従いフォーマット化するように構成される。マイクロプロセッサ７０はＰＣのマイクロプロセッサ２０４のそれと類似の機能を奏する。
【００３３】
ＰＣは、テーププリント装置に接続した場合に２つのモード下に動作可能とするソフトウェアを記憶するように構成される。それら２つのモードはプリンタモード及びデバイスモードと称される。
プリンタモードを図５を参照して以下に説明する。プリンタモードではＰＣが使用され、ＵＳＢ接続を介してテーププリント装置で直接ラベルをデザイン及び印刷することが出来る。テーププリント装置はある程度ダンププリンタとして作用し、ＰＣからダウンロードした画像を印刷する。
【００３４】
図５にはテーププリント装置がプリンタモードにある場合の表示画像を示す。ＰＣのディスプレイに表示される画像には３つの異なるエリヤが存在し、第１エリヤ２２０がラベルプレビューエリヤを構成する。プレビューエリヤは、現在選択されているラベルの印刷時の状況を示す。第２エリヤはデータグリッドを提供するデータ編集エリヤ２２２である。ユーザーはこの第２エリヤでデータを入力し及び又は１つ以上のラベルの画像を編集する。
【００３５】
第３エリヤ２２４には、選択したラベルタイプに対して設定し得る特性が表示され、選択した実際の値も表示される。例えば、選択したラベルに対してユーザーが設定すべきオプションは、テープ幅、自動フィットテキスト、フォント、ボーダー、バーコードテキスト、である。これらのオプションは２つのカテゴリーに分けられる。特定値を設定するべきオプションもある。例えば、テープ幅は複数の異なる値がある。本実施例ではテープ幅は２４ｍｍに設定されている。同様に、フォントはフォントスタイルのみならずフォントサイズの両方に異なる数多くのオプションがある。選択したフォントやフォントサイズは表示される。
【００３６】
その他のオプションは接点可能でありあるいは設定しない。例えば、自動フィットテキストは選択してもしなくとも良い。このオプションを選択した場合は１種類のマークで表示され、選択しない場合は別のタイプのマークで表示される。本実施例では選択したオプションにはチェックマークが表記され、選択しなかったオプションは空白のままとされる。これらのラベルセッティングは例示目的のみのものであり、オプションの選択又は不選択の表示方法はその他の方法を使用できる。
【００３７】
前記３つの各エリヤは、以下に詳しく説明するように、デバイス及びプリンタの各モードの何れにおいても使用される。
プリンタモードでは、入手可能なフォント及びフォントサイズはＰＣのものとなる。かくして、ＰＣ上で入手し得るフォントをプリンタモードで使用できる。
【００３８】
図６〜図１３を参照するに、デバイスモード選択時のＰＣの種々の表示画像が示される。要約すると、デバイスモードは、テーププリント装置に転送し得るラベルをデザインするために使用される。デバイスモードでは入手可能なフォーマット特性はテーププリント装置において入手できるものに限られる。デバイスモードではＰＣに記憶させたデータをテーププリント装置に記憶させたデータに同期させること及びその逆が可能である。例えば、テーププリント装置からラベル、記号又は文字列をアップロードさせることが出来る。アップロードしたデータアイテムの１つ以上を変更し得、その差分をメモリにダウンロードさせ得る。ラベル、記号及び又は文字列をＰＣからテーププリント装置にダウンロードさせ得る。
【００３９】
図６を参照するに、デバイスモード選択時のＰＣ表示画像が示される。プリンタモードにおけるような３つのエリヤ、即ち、ラベルプレビューエリヤ、データ編集エリヤ２２２、ラベル特性エリヤ２２４、が表示される。更には、図６に示される画像ではフォントメニュー２２８が表示される。入手可能なフォントはテーププリント装置において入手可能なそれに相当する。同様に、入手可能なこれらフォントのサイズはテーププリント装置において入手可能なそれらである。図５及び図６を対比するに、プリンタモードではポイントサイズを使用して文字サイズが定義されるのに対し、デバイスモードでは文字サイズは、テーププリント装置で使用するフォントサイズであるところのＸＸＳ、ＸＳ、Ｓ、Ｍ、Ｌ、ＸＬ、ＸＸＬ、ＢＩＧとして定義される。入手可能な効果は、やはり、テーププリント装置で入手可能なそうした効果である。
【００４０】
ディスプレイにはユーザーにある情報を提供するエリヤ２３０もまた表示される。図６に示す実施例ではユーザーにはフォントを設定する指示が表示されている。
図７には、ユーザーが個人的な好みに基づいてソフトウェアの特定の特徴を選択する際の表示画像が示される。例えば、ユーザーはチェックボックス２３２を選択してスタートアップダイアログの表示の有無を選択できる。このオプションを選択するとソフトウェアを選択する毎に新規ラベル作製用のウィザードが表示されるようになる。このオプションを選択しない場合は最後に使用したラベルから始まる代替オプションを選択する。チェックボックス２３４でこの代替オプションを選択すると、ソフトウェアはこのソフトウェアが前に選択された時点で作業した最後のラベルを表示して立ち上がる。スタートアップダイアログ表示及び最後に使用したラベルからの開始は、択一事項であり、同時選択はできない。
【００４１】
ユーザーはボックス２３６内の好ましいデフォルトオプションを選択することにより、デフォルトのラベルタイプを選択することもできる。これにより、ソフトウェアを立ち上げる都度、デフォルトで使用するべきデフォルトのラベルタイプが有効に選択される。
ユーザーはデフォルトの測定単位を選択できる。従って、ユーザーは、エリヤ２３８又は２４０を夫々マーキングすることで、メーターオプション又はインペリアル（即ちインチなど）オプションの何れかを選択できる。
【００４２】
ユーザーはディスプレイのエリヤ２４２におけるデフォルトのフォントを選択できる。１実施例においてデフォルトフォントは１つであり、他の実施例では、プリンタモード又はデバイスモードの選択に依存して異なるデフォルトフォントが設定され得る。
【００４３】
更には、ユーザーはエンターキーのみを押した場合の及びコントロールキー及びエンターキーを同時に押した場合に生じるアクションをコントロールできる。図７に例示した実施例ではエンターキーのみを押すと番号２４４で示す別のラインが選択肢として出現する。コントロールキーとエンターキーとを同時に押すと、番号２４６で示すように編集モードが終了される。これらのオプションの１つを選択するとその他のオプションが自動設定される。別の実施例では、エンターキーを押すと編集モードが終了され、コントロールキーと一緒に押すと新規の選択肢が現れる。
【００４４】
選択メニューに示される種々の設定事項は例示目的のみのものである。本発明の他の実施例ではその他の選択メニューを入手し得、それら選択メニューは図７に示すオプションに追加され得又は別メニューとされ得る。特定オプションは任意の好適な様式下に選択し得る。
【００４５】
図８を参照するに、選択可能な様々なラベルタイプが示される。図８は、ファイルメニューからラベルタイプ変更のオプションを選択した場合のＰＣの表示画像を示す。図５及び図６に示すように、“ラベル”タグの隣にはエリヤ２４８が表示される。このエリヤには現在選択中のラベルタイプが表示される。然し乍ら、矢印２５０上でクリックして起動されるドロップダウンメニューには、図８に示す色々のラベルタイプを若干異なるフォーマットにおいて表示させる項目が存在する。
【００４６】
本実施例では、以下のラベルタイプ、即ち、垂直ラップ、水平ラップ、フラグ、セルフラミネーティングの各タイプを入手できる。これらはワイヤラベリングのための全モードである。垂直ラップモードでは画像はテープの幅方向を繰り返し横断するように印刷される。ついでテープをワイヤの周囲に巻き付け得る。水平ラップモードは、画像がテープの長さ方向に沿って反復印刷される点を除き、垂直ラップモードと類似のものである。フラグモードでは、ラベル内にケーブルが収受され、例えば、ラベルの各端部を相互に積層させて所謂フラグを形成させる。セルフラミネーティングモードでは画像はテープの一部を横断して印刷される。次いで、画像を印刷する表面の周囲にテープの他の部分を巻き付けて覆い、印刷した画像を保護させる。
【００４７】
一般モード及び固定長さモードもあり、一般モードではラベルの長さがユーザーの入力する画像により定義され、固定長さモードではラベルの長さがユーザーの入力する長さにより定義される。
【００４８】
その他のモードにはパッチパネルモード、モジュールモード、ターミナルブロックモード、が含まれる。これらの各モードでは、同じラベル上に異なる種々のエリヤが定義される。これら各エリヤの細部はユーザーが決定する。最後に、テープの長さ方向に沿って伸延し且つテープの幅方向に関して９０°回転した文字を伴う画像が印刷される垂直モードがある。
【００４９】
図９を参照するに、本発明の１実施例におけるエラー表示状況が示される。図９の実施例ではソフトウェアはデバイスモードにおけるものである。然し乍ら、本発明のある実施例では図９の実施例をプリンタモードにおいても適用できる。データ編集エリヤ２２２の下方には更に別のエリヤ２７０が表示される。エリヤ２４８に示されるように、ラベルは固定長さタイプのものである。データ編集エリヤの、第２のラベルに相当するセル内にインジケータが表示される。インジケータは番号２７２で表されている。この警告用記号は任意の好適なフォーマットのものであり得る。当該エラーの説明がエリヤ２７０に表示される。詳しくは、データがセル内に収まるには大きすぎる、言い換えると、入力された画像が、固定長さラベルに対して定義された長さよりも大きいことが表示される。エリヤ２７０にはエラーの内容に関する情報と、エラーの発生場所とが示される。本実施例では、エラーの位置はセル、即ち警告用記号が現れるデバイスモードにおいて第２のラベルであると表示されている。
【００５０】
図１０及び図１１を参照するに、ラベルへのオブジェクト挿入状況が例示される。
図１０に示されるように、ユーザーは画像、記号、バーコード又は文字列を挿入できる。これらはメニュー２７６にオプションとして表示される。文字ライブラリオプションには予め定義された文字列が含まれ得る。これら文字列は予め定義され得及び又はユーザーにより定義され得る。ユーザーがこれらオプションの１つを選択すると、ユーザーには画像を挿入する場所に関するオプションが提示される。本発明の幾つかの実施例では提示されるオプションは２つである。挿入するべきアイテムは被編集画像における現在のカーソル位置で挿入され得る。第２のオプションは、ユーザーがセル内における画像位置をオプションリスト、例えば、前（ラベルの始端位置）、後（ラベルの終端位置）、又はセル内、から選択できるようにするものである。本発明の幾つかの実施例において、これらオプションの１つのみ又はその他オプションを入手できる。幾つかの実施例では挿入するべき任意のアイテムに対してこれらオプションの何れをも入手可能である。然し乍ら、本実施例では記号、バーコード、文字列を、カーソルの現在位置で挿入する。
【００５１】
かくして、図１０に示されるように、メニュー２７６内の画像オプションをハイライト化させると次のメニュー２７８が表示される。メニュー２７８では３つのオプション、即ち、“前”、“後”、“セル内”、を定義する。画像は“前”ではラベルの先行マージン内に配置され、“後”ではラベルの後方マージン内に配置されるが、“セル内”を選択すると図１１に示すメニューが現れる。このメニューには、ユーザーが画像をラベルの左右又は上部又は底部の何れかに配置できるようにするオプションが表示される。
以下に、テープラベルプリント装置のメモリとＰＣのメモリとの同期法を図１２及び図１３を参照して説明する。
【００５２】
図５及び図６を含む各図に示されるツールオプションは転送ファイルのオプションを有する。このオプションを選択すると図１２及び図１３のように表示される。ディスプレイの第１エリヤ２８２にはＰＣのメモリに記憶されたラベルが示される。第２エリヤ２８４には現在ＰＣのメモリに記憶されているラベルが示される。ユーザーはＰＣに記憶されたラベルのリストを閲覧し得、それらラベルの１つ以上をハイライト化させ得る。転送オプションを選択するとラベルがプリンタのメモリにダウンロードされる。
【００５３】
本発明の１実施例において、ディスプレイ上の転送エリヤ２８６をマウス又は類似デバイスを使用してハイライト化させるとハイライト化されたラベルがラベルプリント装置のメモリに転送される。本発明の他の実施例では、転送エリヤをハイライト化させると転送させるべきラベルがエリヤ２８４内にリスト表示される。かくして、ユーザーはラベルプリント装置のメモリにダウンロードされるラベルの幾つかまたは全てをＰＣ上で選択できる。
【００５４】
第２実施例において、転送エリヤをクリックすると、表示されるべきテーププリント装置に相当する表示がエリヤ２８４内に表示される。変更保存エリヤ又は類似部分をクリックするのみで、ラベルはＰＣからテーププリント装置に転送される。
この操作は、テーププリント装置のメモリからＰＣのメモリにラベルを記憶させるために実施され得る。これは、テーププリント装置からＰＣへのラベル転送に相当するスクリーンの転送エリヤ２８９をクリックすることを意味する。
【００５５】
一方のメモリから他方のメモリにデータをダウンロードさせるために２つのメカニズムの何れかを使用できる。
テーププリント装置がＰＣに接続されファイル転送モードが選択された場合、テーププリント装置内の各ファイルはＰＣのメモリに有効にアップロードされる。従って、ラベルをアップロードし、修正し又はメモリにダウンロードし、保存すると、修正分のみがテーププリント装置のメモリに有効にダウンロードされる。言い換えると、修正されたラベル及び又は新規のラベルのみがダウンロードされる。ラベルが修正される場合、本発明の幾つかの実施例では全てのラベルではなく修正されたラベルのみがダウンロードされる。
【００５６】
図１２に示す構成ではＰＣ及びテーププリント装置に記憶されたラベルのダウンロード／アップロード／同期、が示される。図１３は図１２と類似しているが、ラベルに代わり記号に関する同じ手順が実行されている。
【００５７】
“マイライブラリ”には文字列のリストが含まれる。ラベル及び記号に関して説明したと同じ動作が同様に実行され得る。
ＰＣとテーププリント装置との間でデータを転送させるために使用するプロトコルを以下に説明する。当該プロトコルは、ＰＣとラベルプリンタとの間における及びその逆におけるデータの転送が比較的急速に実施され得るようなものである。その実施法の１つは、ｎを例えば３とする場合に各ｎ個のパケットを伴うコマンドを送ることである。このプロトコルではｎ個のパケットを伴うコマンドが送られ、各パケットがパケットを受ける実体において正しくプログラム化または記憶されたことを表示するリプライを待つ。然し乍ら、本件発明者はデータ転送効率を向上させ得ることを見出した。
【００５８】
フラッシュメモリからのデータ読出しは以下のようにして行なう。
１．読み取りコマンドをプリンタに送る。
２．コマンドを正しく受けたことのアクノリッジをＰＣに送る。
３．プリンタから要求データ量のデータをＰＣに送る。
４．チェックサムコマンドをプリンタに送る。
５．コマンドを正しく受けたことのアクノリッジをＰＣに返送する。
６．チェックサムを計算してＰＣに返送する。
【００５９】
本発明の好ましい実施例では、ＰＣからラベルプリンタに又その逆での全データの転送の序文には単一コマンドを使用する。このコマンドには一意のコマンド、送り先、バイト数又はパケット数、チェックサム、が含まれる。このコマンドに続けて全データを転送する。これによりコマンドのオーバーヘッドが大幅に減少する。
【００６０】
本発明の１実施例では、ラベルを記憶する第１のフラッシュメモリは以下のようなサイズとされ得る。
ページサイズ  ２６４バイト。
ページ数  ４０９６
合計バイト数  １０８１３４４
処理速度  ２ｍ／秒（ＵＳＢ１．１）
【００６１】
かくして、仮にフラッシュメモリの全内容に対してシングルコマンドを使用した場合の本発明の実施例における全フラッシュメモリ読み取り時間は約３３秒である。これは、コマンド及び関連するプロトコルをメモリの各ページに関連付けた場合の読み取り時間が約８２秒であるのとは対照的である。
ラベルプリンタからＰＣにデータ転送する場合はラベルプリンタ内の関連するフラッシュメモリに記憶した全てのファイルが含まれ、ＰＣからラベルプリンタにデータ転送する場合はラベルプリンタに記憶したファイルの修正部分のみが含まれる。
【００６２】
本発明の各実施例における１つの利益は、ラベルがしばしばラベルプリンタにダウンロードされ、ローカルサイトに運ばれてからプリントアウトされることである。この場合、しばしば些細な変更である多少の変更を加えて、ローカルの条件又は配線、建物、家具その他のレイアウトを反映させる必要がある。従来製品では、こうした変更を覚えさせておくのは容易ではなかった。本発明の各実施例では各ラベルは修正され、ラベルプリンタのメモリに保存される。ラベルをＰＣにアップロードしておけばＰＣのユーザーは実際に使用したラベルを入手できる。この点は、マスターレコードがＰＣに保持される場合は有益である。
【００６３】
ＰＣはラベルプリンタにダウンロードするラベルを事前に評価する構成とされる。言い換えると、ＰＣは、ラベルプリンタがＰＣにより当該ラベルプリンタにダウンロードさせたラベルをプリントできることをラベルプリンタの性能の観点から確認する。ＰＣが確認することにより、ラベルプリンタに要求されるプロセス処理能力を低減させ得る。ＰＣはフォント情報、レイアウト情報、画像情報、サイズ情報、ラベルの複雑さ、を含む１つ以上の特性を検査できる。
【００６４】
ＰＣは、ラベルプリンタがデバイスモード又はプリンタモードの何れかで動作中であることを表示するフラグ又はインジケータを有するように構成される。１実施例ではインジケータはフラグであり、デバイスモードに対してある値を有し、プリンタモードに対しては異なる値を有する。これらの値はラベルプリンタに記憶されたデータと、ラベルプリンタによりプリントするべきデータとを識別するために使用する。フラグ又はインジケータが、ラベルプリンタがプリンタモードであると表示する場合、データは、ウィンドウズ（登録商標）スプーラプロトコルのような専用プロトコルに従いプリンタに送られる。フラグ又はインジケータが、ラベルプリンタがデバイスモードであると表示する場合は、ＰＣはラベルプリンタ用のコマンドライブラリから１つ又は複数のコマンドを使用するように構成される。
【００６５】
ＰＣとラベルプリンタとの間のＵＳＢ接続部は２つの仮想ポートを持つように構成される。一方の仮想ポートはプリンタモードでの通信用に使用し、他方の仮想ポートはデバイスモードでの通信用に使用する。かくして、仮想ポートが何れかであることに基づき、ラベルプリンタはデータが印刷（即ちラベルプリンタがプリンタモードで動作）又は記憶（ラベルプリンタがデバイスモードで動作）用の何れであるかを判定できる。
【００６６】
プリンタは、ＰＣ上でプリンタ及びマスストレージデバイスとして登録された構成デバイスでもあり得る。このプリンタモードをプリンタに関連付けし、デバイスモードにはマスストレージデバイスを関連付けさせ得る。かくして、プリンタはＯＳオペレーティングシステムのプリンタフォルダにインストールされ、新規のディスクとなる。
データは１つ以上のバイナリデータファイルにおいてＰＣとラベルプリンタとの間で送られる。
【００６７】
図１４を参照するに、ＰＣにより実行される方法が示される。ステップＳ１でプロセッサ２０６が、ラベルをラベルとして又はラベル及びテンプレートとして記憶すべきか否かを判定する。本発明の１実施例では、プロセッサはラベルの内容に基づき、テンプレートとして記憶するべきラベルを判定する。本発明の１実施例ではプロセッサは、ラベルにグラフィック又はビットマップイメージが含まれるか否かを判定する。ラベルにビットマップイメージが含まれる場合、ラベルはテンプレートとして更に記憶される。他の実施例ではラベルをテンプレートとして記憶すべきか否かを判定する場合にビットマップに加えて又はそのオルタナティブとしてのオブジェクトを検査し得る。
【００６８】
本発明の他の実施例ではプロセッサは、ラベルの作製手順に基づき、ラベルをテンプレートとして更に記憶させるべきか否かを判定する。例えば、仮にユーザーが“画像挿入”メニューオプションを使用する場合、ラベルはテンプレートとして更に記憶される。
【００６９】
本発明の更に他の実施例ではラベルは、仮に画像又は所定のオブジェクトがラベルの１つ以上の特定位置に位置付けられている場合はテンプレートとして更に記憶され得る。
本発明の更に他の実施例では、ＰＣのディスプレイは質問その他を表示し得る。その回答によって、ラベルはテンプレートとして更に保存され又は保存されない。あるいはユーザーはラベルをテンプレートとして更に記憶させるオプションを選択し得る。
【００７０】
ステップＳ２では、テンプレートとして記憶されるべき各ラベルから文字コンテンツが削除される。テンプレートには、ラベルのレイアウト及び又は検出したビットマップ又はオブジェクトに関する情報であるところのラベルの属性情報が含まれる。
ステップＳ３では、入力されたラベルがラベルとして保存され、情報を削除したラベルがテンプレートとして保存される。各ラベルには、ラベルがラベル又はテンプレートであることを表示する識別体又はフラグが提供され得る。あるいは又は加えて、各ラベル及びテンプレートは異なるメモリーに保存される。異なるメモリーにはラベルがラベル又はテンプレートの何れかであるかを示す表示体を設け得る。
【００７１】
ラベル及びテンプレートは同じ名前で保存される。しかしながら、先に議論したように、ラベルかテンプレートかを判断するメカニズムが提供される。
本発明の実施例を、インクリボン及び受像テープを収納するカセットを使用する構成状況において説明したが、本発明の他の各実施例は直接感熱材料と共に使用できる。これは、インクリボンが不要であることを意味する。更に他の実施例では、インクリボンを一方のカセットに収納し、受像テープを他のカセットに収納した２カセット型システムを使用できる。
本発明の更に他の実施例では、受像テープを、任意のカセットを設けることなく単にロールに設け得る。
【００７２】
本発明の好ましい実施例を連続する受像テープに関連して説明したが、本発明の他の実施例は、連続する裏当て層に接着した個別のラベルであるダイカットラベルと共に使用し得る。
本発明の他の実施例は、印刷した画像を保護するために使用する積層用テープを更に使用し得る。積層を実施するための数多くの異なる技法が知られている。
本発明の各実施例を、インクリボン印刷技法における直接感熱及び熱転写に関連して説明したが、本発明の各実施例はそうした印刷技法には限定されず、レーザー印刷、インクジェット印刷のような好適な技法、又はその他任意の印刷技法と共に使用可能である。
本発明の各実施例を少なくとも部分的にソフトウェアにおいて開始され、コンピュータープログラムにより提供され得ることが明らかである。コンピュータープログラムは好適なプログラム担持メディアにおいて提供され得又はダウンロードされ得る。
【符号の説明】
【００７３】
２  テーププリント装置
４  ディスプレイ
６  キーボード
８  カーソルコントロールキー
１０  キー
１２  キー
１４  機能キー
３０  カセット受けベイ
３２  サーマルプリントヘッド
３４  回転自在プラテン
３６  プリントゾーン
３８  ピボットポイント
４０  カセット
４２  サプライスプール
４４  受像テープ
４６  出口
４８  カット部
５０  インクリボンサプライスプール
５２  スプール
５４  熱転写リボン
５８  モーター
６０  壁部分
６２  長孔
６４  カット機構
６６  カット用ブレード
７０  マイクロプロセッサチップ
７６ａ  第１のフラッシュメモリ
７６ｂ  第２のフラッシュメモリ
７８  ディスプレイドライバチップ
８０  凹所
２００  ＰＣ
２０６  マイクロプロセッサ
２０８  メモリ
２１０、２１２  ＵＳＢポート
２１４  ケーブル
２２２  データ編集エリヤ
２２４  ラベル特性エリヤ
２３４  チェックボックス
２４４  ライン
２４８  エリヤ
２７０  エリヤ
２７２  インジケータ
２７６、２７８  メニュー
２８６、２８９  転送エリヤ
【図１】
2010523366.tif 000003
【図２】
2010523366.tif 000004
【図３】
2010523366.tif 000005
【図４】
2010523366.tif 000006
【図５】
2010523366.tif 000007
【図６】
2010523366.tif 000008
【図７】
2010523366.tif 000009
【図８】
2010523366.tif 000010
【図９】
2010523366.tif 000011
【図１０】
2010523366.tif 000012
【図１１】
2010523366.tif 000013
【図１２】
2010523366.tif 000014
【図１３】
2010523366.tif 000015
【図１４】
2010523366.tif 000016
【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
テーププリント装置であって、
ＰＣに接続するためのポートと、
データを記憶したメモリと、
を含み、テーププリント装置が、前記データをＰＣに送り、ＰＣから前記データの修正データを受け取り、受け取った修正データをメモリに記憶する構成とされるテーププリント装置。
【請求項２】
修正データのみがテーププリント装置に受けられる請求項１のテーププリント装置。
【請求項３】
テーププリント装置及びＰＣの少なくとも一方が、データの始点位置のみにおけるコマンド情報と共に前記データを出力するように構成される請求項１又は２のテーププリント装置。
【請求項４】
テーププリント装置及びＰＣの少なくとも一方が、チェック情報を出力する構成とされる請求項１〜３の何れかのテーププリント装置。
【請求項５】
テーププリント装置が、ＰＣから読み取りコマンドを受ける構成とされ、
テーププリント装置が、読み取りコマンドを正しく受けたことのアクノリッジメントをＰＣに送る構成とされ、
テーププリント装置が、要求量のデータをＰＣに送る構成とされ、
テーププリント装置が、ＰＣからチェックサムコマンドを受ける構成とされ、
テーププリント装置が、チェックサムコマンドを正しく受けたことのアクノリッジメントをＰＣに送る構成とされ、
テーププリント装置が、チェックサムを計算し、チェックサムをＰＣに送る構成とされる請求項１〜４の何れかのテーププリント装置。
【請求項６】
テーププリント装置から、該テーププリント装置のメモリに記憶されたデータを受けること、
データを修正すること、
修正データをテーププリント装置に送り該テーププリント装置のメモリに記憶させること、
を含む方法。
【請求項７】
データを修正することが、追加データを提供すること、データの少なくとも１つを削除すること、データの少なくとも１つを修正すること、の少なくとも何れかを含む請求項６の方法。
【請求項８】
データの修正により変化された部分のみに関する情報を送ることを含む請求項６又は７の方法。
【請求項９】
受けたデータを定義する情報を表示させること、受けたデータを定義する情報を第１エリヤに好ましく表示させること、前記データを受ける構成とされたＰＣに記憶されたデータを定義する情報を第２エリヤに表示させること、を含む請求項６〜８の何れかの方法。
【請求項１０】
第１エリヤ及び第２エリヤ間で情報を移動させること及び、前記データを、移動された情報に従い修正すること、を含む請求項９の方法。
【請求項１１】
データの始端位置のみにおけるコマンド情報と共にデータを出力することを含む請求項６〜１０の何れかの方法。
【請求項１２】
チェック情報を出力することを含む請求項６〜１１の何れかの方法。
【請求項１３】
読み取りコマンドを送ること、
読み取りコマンドを正しく受けたことのアクノリッジメントを送ること、
要求量のデータを送ること、
チェックサムコマンドを送ること、
チェックサムコマンドを正しく受けたことのアクノリッジメントを送ること、
チェックサムを計算してチェックサムをＰＣに送ること、
を含む請求項６〜１２の何れかの方法。
【請求項１４】
データを記憶したメモリを有するテーププリント装置と、
ＰＣと、
ＰＣとテーププリント装置との間の接続部と、
を含み、
前記ＰＣが、テーププリント装置からデータを受け、受けたデータを修正し、修正データをテーププリント装置に送り、送られた修正データがメモリに記憶されるシステム。
【請求項１５】
ＰＣにおいて入手可能な属性を用いてＰＣ上でラベルがデザインされる運転上の第１のモードを提供すること、
テーププリント装置において入手可能な属性のみを用いてＰＣ上でラベルがデザインされる運転上の第２のモードを提供すること、
を含む方法。
【請求項１６】
運転上の第１のモードを使用してラベルをデザインすること、
デザインしたラベルをテーププリント装置に送りプリントさせること、を含む請求項１５の方法。
【請求項１７】
運転上の第２のモードを使用してラベルをデザインすること、
デザインしたラベルをテーププリント装置のメモリにダウンロードしてプリントさせること、を含む請求項１５又は１６の方法。
【請求項１８】
運転上の第１のモードが使用される場合は第１の値を、運転上の第２のモードが使用される場合は第２の値を、有するインジケータを提供することを含む請求項１５、１６、１７の何れかの方法。
【請求項１９】
属性が、文字属性及びラベル属性の少なくとも一方を含む請求項１５〜１８の何れかの方法。
【請求項２０】
テーププリント装置と、
ＰＣと、
を含み、
ＰＣが、該ＰＣ上でラベルがデザインされる運転上の第１のモードを有するＰＣが、該ＰＣ上で入手可能な属性を使用し得、
ＰＣが、該ＰＣ上でラベルがデザインされる運転上の第２のモードを有するＰＣが、テーププリント装置においてのみ入手可能な属性を使用し得るシステム。
【請求項２１】
ラベルが所定の基準を満たすか否かを判定し、満たす場合はラベルにテンプレートを提供するように該ラベルを修正する構成としたプロセッサを含む装置。
【請求項２２】
所定の基準が、
所定のオブジェクトが存在すること、ビットマップがあること、画像があること、所定の１つ以上の位置にオブジェクト又は画像があること、ラベル作製に使用する手順、オプションの選択、所定タイプのラベルの作製、の少なくとも１つを含む請求項２１の装置。
【請求項２３】
プロセッサが、ラベルにテンプレートを提供するために定義する幾つかの情報を削除する構成とされる請求項２１又は２２の装置。
【請求項２４】
幾つかの情報が、画像情報、ラベルタイプ情報、の少なくとも一方を含む請求項２３の装置。
【請求項２５】
ラベルが更にラベルとして記憶される請求項２１〜２４の何れかの装置。
【請求項２６】
テンプレートの作製法であって、
ラベルが所定の基準を満たすか否かを判定し、満たす場合はラベルにテンプレートを提供するべくラベルを修正すること、
を含む方法。
【請求項２７】
所定の基準が、
所定のオブジェクトが存在すること、ビットマップがあること、画像があること、所定の１つ以上の位置にオブジェクト又は画像があること、ラベル作製に使用する手順、オプションの選択、所定タイプのラベルの作製、の少なくとも１つを含む請求項２６の方法。
【請求項２８】
ラベルにテンプレートを提供するために定義する幾つかの情報を削除することを含む請求項２６又は２７の方法。
【請求項２９】
幾つかの情報が、画像情報、ラベルタイプ情報、の少なくとも一方を含む請求項２８の方法。
【請求項３０】
ラベルが更にラベルとして記憶される請求項２６〜２９の何れかの方法。
【請求項３１】
テーププリント装置と、
ＰＣと、
を含み、
前記ＰＣが、ラベルが所定の基準を満たすか否かを判定し、満たす場合はラベルをテンプレートを提供するように修正する構成としたプロセッサを含むシステム。
【請求項３２】
ＰＣ上で実行された場合に、請求項６〜１３、１５〜１９、２６〜３０に記載する任意の各ステップを実行するように構成されたプログラムコードを含むコンピュータープログラム。
【請求項３３】
ＰＣ上で実行された場合に請求項６〜１３、１５〜１９、２６〜３０に記載する任意の各ステップを実行するように構成されたプログラムコードを含むコンピュータープログラム製品。
【国際調査報告】
2010523366.tif 000017
2010523366.tif 000018
2010523366.tif 000019
2010523366.tif 000020
2010523366.tif 000021